(57)【要約】【目的】サムターンに係合させて取り付けることにより、サムターン回しに対する防犯と、使用者側における施錠、解錠の容易化とを達成する。【構成】ドア２１の錠前２２に設けられいるサムターン１２、１４がサムターン回しにより不法解錠されるのを防止するために、形態の異なる複数種類のサムターン１２、１４に取り付けてサムターン１２、１４を操作できるように、複数種類の係合部１３、１５をカバー本体１１の内面に設け、サムターン回しにより不法に操作されないように滑らかな形状にカバー本体１１を形成する。【選択図】        図２
2005030050.tif 000002
【特許請求の範囲】
【請求項１】
ドアの錠前に設けられているサムターンがサムターン回しにより不法解錠されるのを防止するためのサムターンカバーであって、形態の異なる複数種類のサムターンに取り付けてサムターンを操作できるように、複数種類の係合部をカバー本体の内面に設け、サムターン回しにより不法に操作されないように滑らかな形状にカバー本体外面を形成したことを特徴とするサムターンカバー。
【請求項２】
形態の異なる複数種類のサムターンの向きが、使用者側にて明確に把握できるように、サムターンの向きと一致する方向のマークと、これを直交する方向のマークとをカバー本体の外面に設けた請求項１記載のサムターンカバー。
【請求項３】
サムターンにカバー本体をねじ止めするための、ねじの取り付け穴を複数種類の係合部のどれかの部分に設けた請求項１記載のサムターンカバー。
【請求項４】
複数種類の係合部に適合しないサムターンに使用可能とするために、係合部に適合しないサムターンと係合可能な係合部と、カバー本体に設けられている係合部のいずれかと係合可能な係合部とを有するアダプターを併用するようにした請求項１記載のサムターンカバー。
【発明の詳細な説明】
【０００１】
【発明の属する技術分野】
本発明は、ドアの錠前に設けられているサムターンがサムターン回しにより不法解錠されるのを防止するためのサムターンカバーに関するものである。
【０００２】
【従来の技術】
ドアの錠前にドリルを用いて穿孔し、そこから器具を差し込んでサムターンに引っ掛け、サムターンを回転させる、所謂サムターン回しと称する方法により開錠し、窃盗を働く事件が後を断たない。これを防止するため様々な提案がなされており、例えば実公平４−４０３６２号のものは、サムターンを覆う防犯カバーをセットスクリューの締め付けで固定するか、係止突部と係止部との結合で取り付けるもので、錠前に穿孔され、サムターン回しを用いて操作しようとしても空転してしまい、サムターンをを操作することができない。しかし、錠前の使用者にとってはサムターンを操作できることも、不法なサムターン回し防止と同様に重要である。上記の考案の場合、防犯カバーはセットスクリューで締め付けたときに、サムターンを回すことができるようになる。セットスクリューを締め付けなくてもサムターン回しを防止することはできるが、自分で施錠、解錠をするためにはセットスクリューを締め付ける必要がある。しかし基本的にセットスクリューを締め付けなければサムターンを操作することができないというのは不便である。また係合突部と凹部を操作の都度係合させるというのも面倒であり、構造的にも複雑である。
【０００３】
【発明が解決しようとする課題】
本発明は前記の点に着目してなされたもので、その課題は、サムターンに係合させて取り付けることにより、サムターン回しに対する防犯と、使用者側における施錠、解錠操作の容易化とを達成することである。
【０００４】
【課題を解決するための手段】
前記の課題を解決するため、本発明は、ドアの錠前に設けられているサムターンがサムターン回しにより不法解錠されるのを防止するためのサムターンカバーについて、形態の異なる複数種類のサムターンに取り付けてサムターンを操作できるように、複数種類の係合部をカバー本体の内面に設け、サムターン回しにより不法に操作されないように滑らかな形状にカバー本体外面を形成するという手段を講じたものである。
【０００５】
サムターンは、デッドボルトと通称される錠前側の部材を施錠、解錠操作するために、室内側に設けられており、室外側には通常、シリンダー錠などが設けられているので、施錠、解錠操作には、シリンダー錠などを操作するためのキーが必要である。サムターンは、従って室内側における操作を考えて作られており、指で摘んで左右方向へ回転しやすいように、回転軸を通る直径方向へ細長く形成されている。
【０００６】
このようなサムターンに対する不法解錠を防止するには、回転させることが困難な形態を与えれば良い訳である。しかし現実には各社各様のサムターンを有している。例えば或る会社のサムターンは楕円形状であり、他の会社のサムターンはブロック状であり、さらに他の例では回転軸の下方に延びる板状というように様々な形態を持っている。
【０００７】
そこで、本発明のサムターンカバーは、形態の異なる複数種類のサムターンに取り付けて、サムターンを操作できるように、複数種類の係合部をカバー本体の内面に設けている。カバー本体はサムターンカバーを覆うもので、その内面の形状自体がサムターンと係合可能な形態のキャップ状を有している。
【０００８】
そして、サムターン回しにより、不法に操作されないように、滑らかな形状
を、カバー本体外面が有していることは勿論必要である。滑らかな形状、とはサムターン回しを引っ掛けられないような形状のことであり、例えば円筒形、円錐形、半球形などが含まれる。
【０００９】
形態の異なる複数種類のサムターンの向きが、使用者側にて明確に把握できるように、カバー本体の外面にマークを設けることができる。サムターンの開閉時の位置即ち向きは製造者によって異なることがある。或いはサムターンの向きがメーカーによって区々である場合もある。そこで本発明では、サムターンの向きと一致する方向のマークと、これと直交する方向のマークの２種類のマークを＋状に設けておき、さらに使用者が自身で夜光テープなどを上記マークに貼れるようにしておくことができる。
【００１０】
複数種類の係合部を用意しても、これらに適合しないサムターンも当然あり得る。そこで本発明は、カバー本体に用意されている係合部に適合しないサムターンと係合可能な係合部と、カバー本体に用意されている係合部のいずれかと係合可能な係合部とを有するアダプターを併用し、さらに多くの種類のサムターンに対応できるようにする。これによりサムターンカバー全体を新たに作り直さなくても、より低廉なコストで対応することが可能となる。
【００１１】
本発明に係るサムターンカバーは係合によってサムターンに取り付けるものであり、そのままサムターンを操作して、施錠、解錠が可能であるが、これをねじ止めしてしまうことは一構に支障がない。即ち取り外しの必要がなく、サムターンに対する操作が可能であるのは望ましいことである。また鋳造その他任意の手段によりカバー本体を所望の形態に形成することができるが、金属のほか難燃性のプラスチックも使用可能な材料である。
【００１２】
【発明の実施の形態】
以下図示の実施形態により本発明をより詳細に説明する。図１は本発明に係るサムターンカバー１０の例１を示すもので、カバー本体１１は、一端が開き、他端が閉じた中空構造を有し、かつやや円錐台形状の外面形状を有している。円錐台形状の底に位置する側には、図２に示したような、楕円形状のサムターン１２に係合可能な第１の係合部１３と、下方へ延びる厚板状のサムターン１４に係合可能な第２の係合部１５とが設けられている。
【００１３】
第１の係合部１３は、第２の係合部１５よりも大形であるので、第１の係合部１３がカバー本体１１の中空構造を形成するように設けられており、また逆に言えば、第１の係合部１３がカバー本体１１の全体の大きさを決めている。そして第２の係合部１５は、第１の係合部１３の奥の面に凹溝状に設けられている。
【００１４】
また、形態の異なる複数種類のサムターンの向きが、使用者側に明確に把握できるように、或いはサムターンの向きがメーカーによって区々である場合に対処できるように、サムターンの向きと一致する方向のマーク１６と、これと直交する方向のマーク１７とをカバー本体１１の外面に交差状に設けている。このマーク１６、１７には、夜光塗料を含むテープ１８などを貼り付けて、施錠、解錠の状態を明示できるようにする。
【００１５】
さらにカバー本体１１には、ねじ止めのためのねじ１９の取り付け穴２０を第１の係合部１３の側壁を貫通して設けている。ねじ１９は、取り付け穴２０であるねじ穴からサムターン１２、１４までの距離が異なるのに合わせて長短適当なものを使用する。
【００１６】
この例１において、本発明のサムターンカバー１０は、図２に示す楕円形状のサムターン１２にも、或いは下方へ延びる厚板状のサムターン１４にも、第１の係合部１３或いは第２の係合部１５にて係合させることができる。係合させたサムターンカバー１０には、サムターン１２、１４のロック時の向きに合わせるか或いは自身の習慣に合った向きにテープ１８を貼り、また必要によりねじ１９を緩めて外れないように固定する。
【００１７】
サムターンカバー１０を指先で摘み、ドア２１の錠前２２に設けられているサムターン１２、１４を操作すると、その錠前のデッドロック２３が突出し（図２鎖線の状態）、施錠状態となる。施錠状態では、室外からキーで解錠するか、室内にてサムターン１２、１４を戻さない限りドア２１を開けることができないし、またサムターン回しによりサムターン１２、１４を回そうとしても、カバー本体１１の外面が不法に操作されないように滑らかな形状になっているので、滑ってしまい解錠することは不可能に近い。しかし、室内側からは、サムターン１２、１４と係合しているサムターンカバー１０の操作により確実に、しかも幾分大型化している分だけ容易に施錠、解錠操作することができる。
【００１８】
図４、図５は、薄片状のサムターン２５に、これに対応する係合部を有していないサムターンカバーを取り付けるために、アダプター２６を併用する本発明のサムターンカバーによる例２を示す。なお、例示のサムターンカバー１０は例１の場合と同じとする。
【００１９】
例２のものは、例１のサムターンカバー１０の第１の係合部１３と係合可能な大きさ形状を有する楕円形のアダプター２６を使用する。このアダプター２６には、薄片状のサムターン２５と係合可能なスリット状の第３の係合部２７を設け、このスリットは一端を開放するも他端を閉じてヒンジ機能を持たせている。従って、アダプター２６の第３の係合部２７を第３のサムターン２５に係合させて取り付けたのち、さらにねじ１９を取り付け穴２０にねじ入れて締め付けると、アダプター２６が第３のサムターン２５を締め付ける状態となって、確固に固定されることとなる。
【００２０】
薄片状のサムターン２５が第２の係合部１５に収まる形状、寸法を有するときには、収めた状態でねじ１９を取り付け穴２０にねじ入れ、締め付けることでアダプター２６を使用しなくても固定し得る余地がある（図５）。しかし、アダプター２６の使用により、確実性を増すことができよう。他の構成は図１〜図３のものと同様で良いので符号を援用し、詳細な説明を省略する。
【００２１】
【発明の効果】
本発明は以上の如く構成されかつ作用するものであるから、サムターンにサムターンカバーを係合させて取り付けることにより、サムターン回しによる侵入行為にさらされても、サムターンカバーとの間で滑ってしまいサムターンを操作することができないから有効な防犯対策となり、また本発明のサムターンカバーは脱着の必要がないので使用者における施錠、解錠は容易化される等顕著な効果を奏する。
【図面の簡単な説明】
【図１】（ａ）本発明に係るサムターンカバーの実施形態の例１を示す側面図。
（ｂ）同上の正面図。
（ｃ）同じく中央縦断面図。
（ｄ）図１（ｃ）と９０度異なる方向の断面図。
（ｅ）同じく背面図。
【図２】本発明のサムターンへの適用を示すための斜視図。
【図３】（ａ）図２の上の例についての装着状態を示す断面図。
（ｂ）図２の下の例についての装着状態を示す断面図。
【図４】本発明の例２を示す斜視図。
【図５】同上のアダプターを使用しない場合の断面図。
【符号の説明】
１０  サムターンカバー
１１  カバー本体
１２、１４、２５  サムターン
１３  第１の係合部
１５  第２の係合部
１６、１７  マーク
１９  ねじ
２０  取り付け穴
２１  ドア
２２  錠前
２６  アダプター
２７  第３の係合部
【図１】
2005030050.tif 000003
【図２】
2005030050.tif 000004
【図３】
2005030050.tif 000005
【図４】
2005030050.tif 000006
【図５】
2005030050.tif 000007